(57)【要約】      （修正有）【課題】光照射装置が、用紙を案内する案内部材に回転可能に支持されていない場合と比較して、記録媒体と光照射装置との距離の精度を向上させることができる画像形成装置を提供する。【解決手段】画像形成装置は、連続紙Ｐにインクを吐出する吐出ヘッドと、連続紙に接触し、連続紙を位置決めする位置決ロール６０と、連続紙に接触し、連続紙を位置決めする位置決ロール７０と、連続紙に付着したインクの水分を蒸発させるように、連続紙に向けて光照射する光照射装置１００と、を有し、光照射装置は、位置決ロール６０に回転可能に支持され、位置決ロール７０に押し付けられて位置決ロール６０及び位置決ロール７０材に対して位置決めされる。【選択図】図２
2020044766.tif 000002
【特許請求の範囲】
【請求項１】
記録媒体にインクを吐出する吐出部と、
記録媒体に接触し、記録媒体を位置決めする第１の位置決部材と、
記録媒体に接触し、記録媒体を位置決めする第２の位置決部材と、
記録媒体に付着したインクの水分を蒸発させるように、記録媒体に向けて光照射する光照射装置と、
を有し、
前記光照射装置は、前記第１の位置決部材に回転可能に支持され、前記第２の位置決部材に押し付けられて前記第１の位置決部材及び前記第２の位置決部材に対して位置決めされる画像形成装置。
【請求項２】
前記光照射装置は、自重によって前記第２の位置決部材に対して押し付けられる請求項１記載の画像形成装置。
【請求項３】
前記第１の位置決部材は、前記第２の位置決部材よりも重力方向における上方に配置されている請求項２記載の画像形成装置。
【請求項４】
前記光照射装置を、前記第２の位置決部材に対して押し付けるように付勢する付勢手段をさらに有する請求項１から３いずれか記載の画像形成装置。
【請求項５】
前記光照射装置から光を照射される位置における記録媒体の移動方向が水平方向となす角度θが、
０度＜θ＜１８０度
である請求項１から４いずれか記載の画像形成装置。
【請求項６】
前記第１の位置決部材は、搬送される記録媒体のインクが吐出される側の面と逆側の面に接触して、記録媒体の搬送を案内する第１の案内ロールである請求項１から５いずれか記載の画像形成装置。
【請求項７】
前記光照射装置は、鉤状の引掛手段を有し、前記引掛手段を前記第１の案内ロールに引っ掛けることで回転可能に取り付けられる請求項６記載の画像形成装置。
【請求項８】
前記第２の位置決め部材は、搬送される記録媒体のインクが吐出される側の面と逆側の面に接触して、記録媒体の搬送を案内する第２の案内ロールである請求項１から７のいずれか記載の画像形成装置。
【請求項９】
前記光照射装置は、前記第２の案内ロールに突き当てられる突当面を有する請求項８記載の画像形成装置。
【請求項１０】
記録媒体にインクを吐出する吐出部と、
記録媒体に接触し、記録媒体を位置決めする第１の位置決部材と、
記録媒体に接触し、記録媒体を位置決めする第２の位置決部材と、
記録媒体に付着したインクの水分を蒸発させる蒸発装置と、
を有し、
前記蒸発装置は、前記第１の位置決部材に回転可能に支持され、前記第２の位置決部材に押し付けられて、前記第１の位置決部材及び前記第２の位置決部材に対して位置決めされる画像形成装置。
【請求項１１】
照射対象に光を照射する光照射部と、
照射対象に接触し、照射対象を位置決めする第１の位置決部材に対して光照射装置本体が回転可能となるように、前記第１の位置決め部材によって支持される支持部と、
照射対象に接触し、照射対象を位置決めする第２の位置決部材に対して押し付けられる被押付部と、
を有する光照射装置。
【請求項１２】
乾燥対象を乾燥させる乾燥部と、
乾燥対象に接触し、乾燥対象を位置決めする第１の位置決部材に対して乾燥装置本体が回転可能になるように、前記第１の位置決部材によって支持される支持部と、
乾燥対象に接触し、乾燥対象を位置決めする第２の位置決部材に対して押し付けられる被押付部と、
を有する乾燥装置。
【発明の詳細な説明】
【技術分野】
【０００１】
本発明は、画像形成装置、光照射装置及び乾燥装置に関する。
【背景技術】
【０００２】
特許文献１には、駆動ローラと従動ローラに懸架された無端状の搬送ベルトに用紙を載せて搬送する用紙搬送手段と、前記用紙搬送手段と対向して配置され、前記用紙に転写されたトナー像に合せてレーザ光を照射するレーザ照射手段とを有するレーザ定着装置であって、前記レーザ定着装置は、位置決めローラを備え、前記位置決めローラは、前記駆動ローラと対向する位置に設けられ、前記駆動ローラと前記位置決めローラの間で前記用紙を挟持して搬送することを特徴とするレーザ定着装置である。
【０００３】
特許文献２には、所定の方向に回転駆動されて静電潜像が形成される感光体を備える感光体ユニットと、画像データに応じてレーザ光を前記感光体の回転方向に直交する方向に走査して前記感光体上に前記静電潜像を形成するレーザスキャナユニットとを備え、前記静電潜像を現像して画像を得るようにした画像形成装置において、前記レーザスキャナユニットには、前記感光体の回転軸を受ける受け部が一体に形成されており、前記感光体ユニットを前記レーザスキャナユニットの方向に押圧して前記感光体の回転軸を前記受け部に圧接する押圧手段を有し、前記感光体の回転軸を基準として前記レーザスキャナユニットの位置決めを行うようにしたことを特徴とする画像形成装置である。
【０００４】
特許文献３には、保持部材に回転可能に保持され、静電潜像が形成される像担持体と、回転することによりトナーを搬送して前記像担持体に供給する複数の現像剤担持体を有する現像装置と、前記像担持体に対して前記現像装置を接離可能に支持する支持部と、前記像担持体に向けて前記現像装置を付勢する付勢部材と、を備え、前記複数の現像剤担持体のそれぞれは、軸方向両端部に一対の突き当てコロを有し、前記突き当てコロが、前記像担持体に対して位置決めされた当接部に当接することにより、前記現像剤担持体と前記像担持体との離間距離が一定に保持される画像形成装置において、前記支持部が、複数対の前記突き当てコロのうち、支持したときに前記現像装置に生じる力のモーメントが最小となる一対の前記突き当てコロを回転可能に支持することを特徴とする画像形成装置が記載されている。
【先行技術文献】
【特許文献】
【０００５】
【特許文献１】特開２０１３−８００７３号公報
【特許文献２】特開２００４−２２６５８５号公報
【特許文献３】特開２０１３−１７８３３７号公報
【発明の概要】
【発明が解決しようとする課題】
【０００６】
記録媒体に吐出されたインクを蒸発させるように、記録媒体に向けて光を照射する光照射装置は、記録媒体との間の距離に高い精度が求められる。
【０００７】
本発明は、光照射装置が、用紙を案内する案内部材に回転可能に支持されていない場合と比較して、記録媒体と光照射装置との距離の精度を向上させることができる画像形成装置を提供することを目的とする。
【課題を解決するための手段】
【０００８】
請求項１に係る本発明は、
記録媒体にインクを吐出する吐出部と、
記録媒体に接触し、記録媒体を位置決めする第１の位置決部材と、
記録媒体に接触し、記録媒体を位置決めする第２の位置決部材と、
記録媒体に付着したインクの水分を蒸発させるように、記録媒体に向けて光照射する光照射装置と、
を有し、
前記光照射装置は、前記第１の位置決部材に回転可能に支持され、前記第２の位置決部材に押し付けられて前記第１の位置決部材及び前記第２の位置決部材に対して位置決めされる画像形成装置である。
【０００９】
請求項２に係る本発明は、
前記光照射装置は、自重によって前記第２の位置決部材に対して押し付けられる請求項１記載の画像形成装置である。
【００１０】
請求項３に係る本発明は、前記第１の位置決部材は、前記第２の位置決部材よりも重力方向における上方に配置されている請求項２記載の画像形成装置である。
【００１１】
請求項４に係る本発明は、前記光照射装置を、前記第２の位置決部材に対して押し付けるように付勢する付勢手段をさらに有する請求項１から３いずれか記載の画像形成装置である。
【００１２】
請求項５に係る本発明は、前記光照射装置から光を照射される位置における記録媒体の移動方向が水平方向となす角度θが、
０度＜θ＜１８０
である請求項１から４いずれか記載の画像形成装置である。
【００１３】
請求項６に係る本発明は、
前記第１の位置決部材は、搬送される記録媒体のインクが吐出される側の面と逆側の面に接触して、記録媒体の搬送を案内する第１の案内ロールである請求項１から５いずれか記載の画像形成装置である。
【００１４】
請求項７に係る本発明は、前記光照射装置は、鉤状の引掛手段を有し、前記引掛手段を前記第１の案内ロールに引っ掛けることで回転可能に取り付けられる請求項６記載の画像形成装置である。
【００１５】
請求項８に係る本発明は、前記第２の位置決め部材は、搬送される記録媒体のインクが吐出される側の面と逆側の面に接触して、記録媒体の搬送を案内する第２の案内ロールである請求項１から７のいずれか記載の画像形成装置である。
【００１６】
請求項９に係る本発明は、前記光照射装置は、前記第２の案内ロールに突き当てられる突当面を有する請求項８記載の画像形成装置である。
【００１７】
請求項１０に係る本発明は、
記録媒体にインクを吐出する吐出部と、
記録媒体に接触し、記録媒体を位置決めする第１の位置決部材と、
記録媒体に接触し、記録媒体を位置決めする第２の位置決部材と、
記録媒体に付着したインクの水分を蒸発させる蒸発装置と、
を有し、
前記蒸発装置は、前記第１の位置決部材に回転可能に支持され、前記第２の位置決部材に押し付けられて、前記第１の位置決部材及び前記第２の位置決部材に対して位置決めされる画像形成装置である。
【００１８】
請求項１１に係る本発明は、
照射対象に光を照射する光照射部と、
照射対象に接触し、照射対象を位置決めする第１の位置決部材に対して光照射装置本体が回転可能となるように、前記第１の位置決め部材によって支持される支持部と、
照射対象に接触し、照射対象を位置決めする第２の位置決部材に対して押し付けられる被押付部と、
を有する光照射装置である。
【００１９】
請求項１２に係る本発明は、
乾燥対象を乾燥させる乾燥部と、
乾燥対象に接触し、乾燥対象を位置決めする第１の位置決部材に対して乾燥装置本体が回転可能になるように、前記第１の位置決部材によって支持される支持部と、
乾燥対象に接触し、乾燥対象を位置決めする第２の位置決部材に対して押し付けられる被押付部と、
を有する乾燥装置である。
【発明の効果】
【００２０】
請求項１に係る本発明によれば、光照射装置が、記録媒体を案内する第１の案内部材に回転可能に支持されていない場合と比較して、記録媒体と光照射装置との距離の精度を向上させることができる。
【００２１】
請求項２に係る本発明によれば、光照射装置を第２の位置決め部材の方向に付勢する付勢手段が不要になり、装置の構造を簡単にすることができる。
【００２２】
請求項３に係る本発明によれば、第１の位置決部材が第２の位置決め部材よりも重力方向における下方に配置されている場合と比較して、例えば振動が加えられた際等の光照射装置の予期せぬ移動を生じにくくすることができる。
【００２３】
請求項４に係る本発明によれば、光照射装置の自重により光照射装置が押し付けられる位置以外の位置にも第２の位置決部材を配置することができ、付勢手段を有しない場合と比較して、第２の位置決部材の位置の制限を低減させることができる。
【００２４】
請求項５に係る本発明によれば、光が照射される位置における記録媒体の搬送方向が水平である場合と比較して、記録媒体の搬送方向の自由度を高めることができる。
【００２５】
請求項６に係る本発明によれば、記録媒体を案内する第１の案内ロールに対して光照射装置を位置決めしやすく、記録媒体と光照装置との距離を決めやすくすることができる。
【００２６】
請求項７に係る本発明によれば、案内ロールに対して、引掛手段を引っ掛けるだけで光照射装置の位置を決めることができ、引掛手段を有しない場合と比較して記録媒体と光照射装置との距離を決めやすくすることができる。
【００２７】
請求項８に係る本発明によれば、記録媒体を案内する第２の案内ロールに対して光照射装置を位置決めしやすく、記録媒体と光照装置との距離を決めやすくすることができる。
【００２８】
請求項９に係る本発明によれば、第２の案内ロールに突当面を突き当てるだけで光照射装置の位置を決めることができ、突当面を有しない場合と比較して記録媒体と光照射装置との距離を決めやすくすることができる。
【００２９】
請求項１０に係る本発明によれば、蒸発装置が、記録媒体を案内する案内部材に回転可能に支持されていない場合と比較して、記録媒体と蒸発装置との距離の精度を向上させることができる。
【００３０】
請求項１１に係る本発明によれば、光照射装置が、照射対象を案内する第１の案内部材に回転可能に支持されていない場合と比較して、照射対象と光照射装置との距離の精度を向上させることができる。
【００３１】
請求項１２に係る本発明によれば、乾燥装置が、乾燥対象を案内する第１の案内部材に回転可能に支持されていない場合と比較して、乾燥対象と乾燥装置との距離の精度を向上させることができる。
【図面の簡単な説明】
【００３２】
【図１】画像形成装置の概略構成を前側から示す図である。
【図２】図１に示す画像形成装置が有する乾燥装置を前側から示す図である。
【図３】図２に示す乾燥装置を、図２に示す矢印Ａ−Ａ側から示す図である。
【図４】図４（Ａ）は、乾燥装置の第１の変形例を示す図であり、図４（Ｂ）は、乾燥装置の第２の変形例を示す図である。
【図５】乾燥装置の第３の変形例を示す図である。
【発明を実施するための形態】
【００３３】
以下、本発明の実施形態について図面を参照して詳細に説明する。図１には、本発明の実施形態である画像形成装置１０が示されている。画像形成装置１０は、画像形成装置本体１２と、記録媒体の一例である連続紙Ｐを搬送する搬送機構３０とを有する。
【００３４】
搬送機構３０は、画像形成装置本体１２内に配置されていて、使用前の連続紙Ｐを回転可能に支持する支持部材３２と、画像が形成された連続紙Ｐを巻き取る巻取機構３４とを有し、さらには、記録媒体Ｐの支持部材３２から送り出された部分を支持する案内ロール４２、案内ロール４４、案内ロール４６及び案内ロール４８をさらに有する。
【００３５】
画像形成装置１０は、位置決ロール６０及び位置決ロール７０をさらに有する。位置決ロール６０は、第１の位置決部材の一例であるとともに、第１の案内ロールの一例であって、連続紙Ｐのインクが吐出される側の面と逆側の面に接触し、連続紙Ｐの搬送を案内している。位置決ロール７０は、第２の位置決部材の一例であるとともに、第２の案内ロールの一例であって、位置決ロール６０と同様に、連続紙Ｐのインクが吐出される側の面と逆側の面に接触し、連続紙Ｐの搬送を案内している。
【００３６】
図１に示すように、位置決ロール６０は、位置決ロール７０よりも重力方向における上方に配置されている。尚、位置決ロール６０及び位置決ロール７０の詳細は、後述する。
【００３７】
画像形成装置１０は、吐出ヘッド５０Ｙ、吐出ヘッド５０Ｍ、吐出ヘッド５０Ｃ及び吐出ヘッド５０Ｋをさらに有する。吐出ヘッド５０Ｙ、吐出ヘッド５０Ｍ、吐出ヘッド５０Ｃ及び吐出ヘッド５０Ｋは、それぞれが連続紙Ｐにインクを吐出する吐出部として用いられていて、イエローのインク、マゼンタのインク、シアンのインク、黒のインクをそれぞれに吐出し、連続紙Ｐに画像を形成する。
【００３８】
吐出ヘッド５０Ｙ、吐出ヘッド５０Ｍ、吐出ヘッド５０Ｃ及び吐出ヘッド５０Ｋは、例えば、案内ロール４２と案内ロール４４との間の位置のように、連続紙Ｐが水平に搬送される位置に画像を形成するように配置することが望ましい。
【００３９】
画像形成装置本体１２内には、光照射装置１００がさらに配置されている。光照射装置１００は、連続紙Ｐに付着したインクの水分を蒸発させるように、連続紙Ｐに向けて光を照射する光照射装置の一例であって、さらには、連続紙Ｐに付着したインクの水分を蒸発させる蒸発装置の一例でもある。尚、光照射装置１００の詳細は後述する。
【００４０】
画像形成装置１０は、補助乾燥装置８００をさらに有する。補助乾燥装置８００は、光照射装置１００から光が照射され、乾燥した連続紙Ｐをさらに乾燥させる装置であり、摺動乾燥部材８１０と、摺動乾燥部材８１０に連続紙Ｐ巻き付けるための巻付ロール８２０とを有する。摺動乾燥部材８１０は、例えば円筒形状であって、内部に熱源８１２を有し、その外周部を摺動するように移動する連続紙Ｐを加熱することで連続紙Ｐを乾燥させる。
【００４１】
図２と図３とには、光照射装置１００が示されている。図２と図３とに示すように、光照射装置１００は光照射装置本体１１０を有し、光照射装置本体１１０に開口１１２が形成されている。開口１１２は、後述する発光装置１４０で発せられた光が通過する孔であり、開口１１２を通過した光が連続紙Ｐに照射される。
【００４２】
光照射装置１００は、発光装置１４０をさらに有する。発光装置１４０は、光照射装置本体１１０内に配置されていて、連続紙Ｐに向けて光を発する。発光装置１４０としては、ＶＣＳＥＬ（Vertical Cavity Surface Emitting LASER、垂直共振器面発光レーザ）ユニットが用いられている。また、発光装置１４０には、発光装置１４０を駆動するための例えば２つの駆動基板１４２と、駆動基板１４４とが装着されている。
【００４３】
発光装置１４０の開口１１２と逆側には、発光装置１４０を冷却する冷却装置１５０が装着されている。冷却装置１５０としては、例えば水冷ジャケットを用いることができる。
【００４４】
位置決ロール６０は、図３に示すように、その両端部側が本体フレーム１４に固定されている。そして、連続紙Ｐのインクが吐出されていない側の面に接触し、連続紙Ｐを摺動させるようにして連続紙Ｐの移動を案内するとともに、連続紙Ｐを位置決めしている。
【００４５】
光照射装置１００は、鉤状部１１４Ｒと鉤状部１１４Ｌとをさらに有する。鉤状部１１４Ｒと鉤状部１１４Ｌとは、それぞれが鉤状の引掛手段の一例であって、それぞれが、位置決ロール６０に引っ掛けられている。そして、鉤状部１１４Ｒと鉤状部１１４Ｌとが位置決ロール６０に引っ掛けられることで、光照射装置１００が、位置決ロール６０に対して回転可能となっている。
【００４６】
位置決ロール７０は、位置決ロール６０と同様に、その両端部側が本体フレーム１４に固定されている。そして、連続紙Ｐのインクが吐出されていない側の面に接触し、連続紙Ｐを摺動させるようにして連続紙Ｐの移動を案内するとともに、連続紙Ｐを位置決めしている。
【００４７】
光照射装置１００は、被押付部１１６をさらに有する。被押付部１１６は、位置決ロール７０に対して押し付けられる。
【００４８】
以上のように構成された光照射装置１００においては、光照射装置１００は、位置決ロール６０に回転可能に支持され、被押付部１１６が位置決ロール７０に対して押し付けられることで、光照射装置１００が、位置決ロール６０と位置決ロール７０とに対して位置決めされている。
【００４９】
上述のように、光照射装置１００は、位置決ロール６０に対して回転可能に支持されている。このため、光照射装置１００には、重心Ｇが位置決ロール６０の重力方向下方に位置する向きまで回転するように、自重による回転モーメントが働く。そして、この回転モーメントによって、光照射装置１００は、位置決ロール７０に対して押し付けられている。このように、この実施例においては、光照射装置１００は、自重によって位置決ロール７０に対して押し付けられている。
【００５０】
また、画像形成装置１０においては、発光装置１４０から光が照射される位置における連続紙Ｐの移動方向が水平方向となす角度θが、
０度＜θ＜１８０度
となっていて、より具体的には、
θ＝９０度
となっているものの、角度θは、
０度＜θ＜１８０度
であればよい。
【００５１】
図４（Ａ）には、光照射装置１００の第１の変形例が示されている。先述の実施形態では、発光装置１４０から光が照射される位置における連続紙Ｐの移動方向が水平方向となす角度θが９０度であった。これに対して、この第１の変形例では、角度θが、１２０度となっている。
【００５２】
また、この第１の変形例では、光照射装置１００が、連続紙Ｐのインクが吐出された側の面の下側にとなるように配置されている。
【００５３】
図４（ｂ）には、光照射装置１００の第２の変形例が示されている。この第２の変形例では、発光装置１４０から光が照射される位置における連続紙Ｐの移動方向が水平方向となす角度θが１２０度となっている。また、この第２の変形例では、光照射装置１００が、連続紙Ｐのインクが吐出された側の面の上側にとなるように配置されている。
【００５４】
図５には、光照射装置１００の第３の変形例が示されている。この第３の変形例では、光照射装置１００は、先述の実施形態の光照射装置１００が有する全ての構成を有することに加えて、コイルスプリング２０を有する。コイルスプリング２０は、付勢手段の一例であって、光照射装置１００を位置決ロール７０に対して押し付けるように、光照射装置１００を付勢している。前述の図４（Ａ）に示す変形例において、自重の作用によって光照射装置１００が位置決ロール７０に接触しない場合でも、コイルスプリング２０の付勢力により位置決ロール７０に対して押し付けるようにすることも可能である。
【符号の説明】
【００５５】
１０・・・画像形成装置
２０・・・コイルスプリング
６０・・・位置決ロール
７０・・・位置決ロール
１００・・・光照射装置
１１２・・・開口
１１４・・・鉤状部
１１６・・・突当面
１４０・・・発光装置
【図１】
2020044766.tif 000003
【図２】
2020044766.tif 000004
【図３】
2020044766.tif 000005
【図４】
2020044766.tif 000006
【図５】
2020044766.tif 000007